【事件の表示】
　特許第３２５１２７３号「光電変換装置」の特許に対する特許異議の申立てについて、次のとおり決定する。
【結　論】
　訂正を認める。
　特許第３２５１２７３号の特許を維持する。
【理　由】
第１　【手続きの経緯】
　本件特許第３２５１２７３号の発明は、昭和６１年９月３０日に出願した特願昭６１−２２９６２５号の一部を新たな特許出願とした特願平１０−１８６２６０号の一部を、さらに平成１２年４月４日に新たな特許出願（特願２０００−１０２５９１号）としたものであって、平成１３年１１月１６日にその特許の設定登録がなされ、その後、その特許について、異議申立人沖島和子より特許異議の申立てがなされ、取消しの理由が通知され、その指定期間内である平成１４年１１月１１日に訂正請求がなされたものである。　　　　　　　　　　　　　　　　　　　　　　　　　　　
第２　【訂正の適否についての判断】
　１　［訂正の内容］
　特許権者が求めている訂正の内容は、以下の（１）ないし（５）のとおりである。
（１）訂正事項ａ
　特許請求の範囲の記載を次のとおりに訂正する。
「【請求項１】　増幅用のトランジスタを含む光電変換セルを複数有する光電変換装置であって、
　前記光電変換セル内で光電変換によって生じた信号を前記増幅用のトランジスタから読み出す第１のモードと、前記光電変換セル内の前記増幅用のトランジスタの入力側を
所定電位の初期状態に復帰させた
　前記第１のモードによって読み出された信号と前記第２のモードによって読み出された信号との差分処理を行うため
に、前記第１のモード及び前記第２のモードによってそれぞれ読み出された一ライン分の前記光電変換セルに含まれる前記増幅用のトランジスタからの信号が転送される複数の容量を用いて差分処理を行う
　一ライン分の前記光電変換セルに含まれる前記増幅用トランジスタの入力側を同一のタイミングで
所定電位の初期状態に復帰させる
　前記第１のモード及び前記第２のモードにおいて、それぞれ一ライン分の前記光電変換セルに含まれる前記増幅用トランジスタから信号を同一のタイミングで読み出す読み出し手段と、
　を有することを特徴とする光電変換装置。
　【請求項２】　請求項１に記載の光電変換装置において、前記差分処理手段から出力された信号を処理する信号処理回路と、光電変換セルに入射する光量を制御する露光制御手段とを有することを特徴とする光電変換装置。」
（２）訂正事項ｂ
　特許明細書の段落【０００９】の記載を次のとおりに訂正する。
「【０００９】
　【課題を解決するための手段】
　本発明による光電変換装置は、増幅用のトランジスタを含む光電変換セルを複数有する光電変換装置であって、前記光電変換セル内で光電変換によって生じた信号を前記増幅用のトランジスタから読み出す第１のモードと、前記光電変換セル内の前記増幅用のトランジスタの入力側を
所定電位の初期状態に復帰させた
に、前記第１のモード及び前記第２のモードによってそれぞれ読み出された一ライン分の前記光電変換セルに含まれる前記増幅用のトランジスタからの信号が転送される複数の容量を用いて差分処理を行う
所定電位の初期状態に復帰させる
（３）訂正事項ｃ
　特許明細書の段落【００１０】の記載を次のとおりに訂正する。
「【００１０】
　［作用］
　本発明による光電変換装置は、前記各光電変換セル毎の前記増幅用のトランジスタの入力側のバラツキに起因するノイズを残存信号として、読出し信号から
増幅用トランジスタの入力側を所定電位の初期状態に復帰させた
所定電位の初期状態に復帰させる
（４）訂正事項ｄ
　特許明細書の段落【００７５】の記載を次のとおりに訂正する。
「【００７５】
　【発明の効果】
　以上詳細に説明したように、本発明による光電変換装置は、光電変換セルの読出し信号から
増幅用トランジスタの入力側を所定電位の初期状態に復帰させた
（５）訂正事項ｅ
　特許明細書の段落【００７６】の記載を次のとおりに訂正する。
「【００７６】
　また、
増幅用トランジスタの入力側を所定電位の初期状態に復帰させる
　２　［訂正の目的の適否、新規事項の有無及び拡張・変更の存否］
　上記訂正事項ａは、特許明細書の段落【００４５】ないし【００５０】の記載に基づいて、差分処理手段に、限定事項（「前記第１のモード及び前記第２のモードによってそれぞれ読み出された一ライン分の前記光電変換セルに含まれる前記増幅用のトランジスタからの信号が転送される複数の容量を用いて差分処理を行う」点）を付加すると共に、特許明細書の段落【００２２】の記載に基づき「リセット」という表現を「所定電位の初期状態に復帰させる」という表現に訂正するものであり、特許請求の範囲の減縮、誤記または明りょうでない記載の釈明を目的とした訂正に該当する。
　また、上記訂正事項ｂないしｅは、上記訂正事項ａに伴い、これと整合を図るものであり、明りょうでない記載の釈明を目的とした訂正に該当する。
　そして、上記訂正事項ａないしｅは、いずれも特許明細書に記載されている事項の範囲内のものであり、新規事項の追加に該当せず、また実質上特許請求の範囲を拡張し、又は変更するものでもない。
　３　［むすび］
　以上のとおりであるから、上記訂正は、特許法第１２０条の４第２項及び第３項において準用する特許法第１２６条第２項及び第３項の規定に適合するので、当該訂正を認める。　　　　
　　　　　　　　　　　　　　　　　　　
第３　【特許異議の申立てについての判断】
　１　［申立ての理由の概要］
　異議申立人沖島和子は、証拠として、甲第１号証：特開２０００−３３３０８２号公報、甲第２号証：特公平８−４１２７号公報及び甲第３号証：特許第３０６７１０２号公報を提出し、本件特許は、その出願日が手続補正書提出日である平成１３年１０月１６日に繰り下がり、本件の公開公報である甲第１号証に基づき当業者が容易に発明することができたものであり、特許法第２９条第２項の規定に違反してなされたものである。また明細書の記載は不備であり、特許法第３６条第３項、第４項の規定に違反してなされたものであるから、特許を取り消すべき旨、主張している。
　２　［当審の判断］
　本件特許第３２５１２７３号の発明は、訂正明細書の特許請求の範囲に記載されたとおりに訂正されている（上記第２．１の［訂正の内容］参照）。
　その訂正の結果、明細書の記載の不備は解消しており、また本件特許は、その出願日が手続補正書提出日である平成１３年１０月１６日に繰り下がるものともいえないから、本件の公開公報である甲第１号証の記載に基づき容易に発明することができたものともいえない。
　したがって、本件特許第３２５１２７３号の特許は、特許法第２９条第２項の規定に違反してなされたものではなく、また特許法第３６条第３項、第４項に規定に違反してなされたものでもない。
　　　　　　　　　　　　　　　　　　　
第４　【むすび】
　以上のとおりであるから、特許異議申立ての理由及び証拠によっては、本件特許を取り消すことはできない。
　また、他に本件特許を取り消すべき理由を発見しない。                                      
　よって、結論のとおり決定する。 　　
【異議決定日】
平成１４年１１月１５日（２００２．１１．１５）
【訂正の要旨】
訂正の要旨
　訂正事項ａ
　明細書の特許請求の範囲を次の通りに訂正する（アンダーライン部分は訂正個所を示す）。
「【特許請求の範囲】
　【請求項１】　増幅用のトランジスタを含む光電変換セルを複数有する光電変換装置であって、
　前記光電変換セル内で光電変換によって生じた信号を前記増幅用のトランジスタから読み出す第１のモードと、前記光電変換セル内の前記増幅用トランジスタの入力側を
所定電位の初期状態に復帰させた
　前記第１のモードによって読み出された信号と前記第２のモードによって読み出された信号との差分処理を行うため
に、前記第１のモード及び前記第２のモードによってそれぞれ読み出された一ライン分の前記光電変換セルに含まれる前記増幅用のトランジスタからの信号が転送される複数の容量を用いて差分処理を行う
　一ライン分の前記光電変換セルに含まれる前記増幅用のトランジスタの入力側を同一のタイミングで
所定電位の初期状態に復帰させる
　前記第１のモード及び前記第２のモードにおいて、それぞれ一ライン分の前記光電変換セルに含まれる前記増幅用トランジスタから信号を同一のタイミングで読み出す読み出し手段と、
を有することを特徴とする光電変換装置。」
　【請求項２】　請求項１に記載の光電変換装置において、前記差分処理手段から出力された信号を処理する信号処理回路と、光電変換セルに入射する光量を制御する露光制御手段とを有することを特徴とする光電変換装置。」
　訂正事項ｂ
　明細書の段落【０００９】を次の通りに訂正する。
「　　【０００９】
　【課題を解決するための手段】
　本発明による光電変換装置は、増幅用のトランジスタを含む光電変換セルを複数有する光電変換装置であって、前記光電変換セル内で光電変換によって生じた信号を前記増幅用のトランジスタから読み出す第１のモードと、前記光電変換セル内の前記増幅用トランジスタの入力側を
所定電位の初期状態に復帰させた
に、前記第１のモード及び前記第２のモードによってそれぞれ読み出された一ライン分の前記光電変換セルに含まれる前記増幅用のトランジスタからの信号が転送される複数の容量を用いて差分処理を行う
所定電位の初期状態に復帰させる
　訂正事項ｃ
　明細書の段落【００１０】を次の通りに訂正する。
「　　【００１０】
　［作用］
　本発明による光電変換装置は、前記光電変換セル毎の前記増幅用のトランジスタの入力側のバラツキに起因するノイズを残存信号として、読出し信号から
増幅用トランジスタの入力側を所定電位の初期状態に復帰させた
所定電位の初期状態に復帰させるので
　訂正事項ｄ
　明細書の段落【００７５】を次の通りに訂正する。
「　　【００７５】
　【発明の効果】
　以上詳細に説明したように、本発明による光電変換装置は、光電変換セルの読出し信号から
増幅用トランジスタの入力側を所定電位の初期状態に復帰させた
　訂正事項ｅ
　明細書の段落【００７６】を次の通りに訂正する。
「　　【００７６】
　また、
増幅用トランジスタの入力側を所定電位の初期状態に復帰させる
（５４）【発明の名称】
光電変換装置
（５７）【特許請求の範囲】
　【請求項１】　増幅用のトランジスタを含む光電変換セルを複数有する光電変換装置であって、
　前記光電変換セル内で光電変換によって生じた信号を前記増幅用のトランジスタから読み出す第１のモードと、前記光電変換セル内の前記増幅用のトランジスタの入力側を
所定電位の初期状態に復帰させた
　前記第１のモードによって読み出された信号と前記第２のモードによって読み出された信号との差分処理を行うため
に、前記第１のモード及び前記第２のモードによってそれぞれ読み出された一ライン分の前記光電変換セルに含まれる前記増幅用のトランジスタからの信号が転送される複数の容量を用いて差分処理を行う
　一ライン分の前記光電変換セルに含まれる前記増幅用トランジスタの入力側を同一のタイミングで
所定電位の初期状熊に復帰させる
　前記第１のモード及び前記第２のモードにおいて、それぞれ一ライン分の前記光電変換セルに含まれる前記増幅用トランジスタから信号を同一のタイミングで読み出す読み出し手段と、
を有することを特徴とする光電変換装置。
　【請求項２】　請求項１に記載の光電変換装置において、前記差分処理手段から出力された信号を処理する信号処理回路と、光電変換セルに入射する光量を制御する露光制御手段とを有することを特徴とする光電変換装置。
【発明の詳細な説明】
　【０００１】
　【発明の属する技術分野】
本発明は、光電変換素子を有する光電変換セルからの信号を読み出す光電変換装置に係り、特に暗信号のバラツキや駆動ノイズ等の不要成分を除去することを企図した光電変換装置に関する。
　【０００２】
　【従来の技術】
　図１０は、従来の光電変換装置の一例を示す概略的構成図である。
　【０００３】
　同図において、光センサＳ１〜Ｓｎからの読出し信号は蓄積用コンデンサＣ１〜Ｃｎに一旦蓄積される。そして走査回路１０１の動作タイミングに従ってトランジスタＱｓ１〜Ｑｓｎが順次ＯＮ状態になることで、各読出し信号は順次出力ライン１０２に現われ、アンプ１０３を通して外部へ出力される。
　【０００４】
　【発明が解決しようとする課題】
　しかしながら、このような従来例では、光センサの暗信号や駆動ノイズ等の不要成分が読出し信号に含まれて出力されるという同題点を有していた。
　【０００５】
　ここで駆動ノイズとは、光センサを駆動して信号を読出す時に発生するノイズであり、素子形状等の製造上のバラツキに起因するノイズや素子分離等に起因し光照射量に依存するスミア等をいう。
　【０００６】
また、暗信号とは光センサの暗電流であるが、そのバラツキは光センサの蓄積時間および温度に大きく依存している。
　【０００７】
　このような駆動ノイズや暗信号等の不要信号は、特に低照度撮像時に問題となる。低照度撮像時においては撮像による情報信号レベルが低くなるために、結果的にＳＮ比が低下し、画質を劣化させるからである。したがって、画質を改善するためには、上記不要信号を低減させることが必要となる。
　【０００８】
しかしながら、上述したように、暗信号は温度や蓄積時間の依存性が大きく、駆動ノイズはその依存性が小さいために、これら不要信号を除去しようとすれば、両信号を分離して補正係数を定めることが必要となり、そのためには多大のメモリを必要とする。その結果、信号処理の複雑化、コストの上昇、撮像装置の大型化という問題を生じさせていた。
　【０００９】
　【課題を解決するための手段】
　本発明による光電変換装置は、増幅用のトランジスタを含む光電変換セルを複数有する光電変換装置であって、前記光電変換セル内で光電変換によって生じた信号を前記増幅用のトランジスタから読み出す第１のモードと、前記光電変換セル内の前記増幅用のトランジスタの入力側を
所定電位の初期状態に復帰させた
に、前記第１のモード及び前記第２のモードによってそれぞれ読み出された一ライン分の前記光電変換セルに含まれる前記増幅用のトランジスタからの信号が転送される複数の容量を用いて差分処理を行う
所定電位の初期状態に復帰させる
　【００１０】
　［作用］
　本発明による光電変換装置は、前記各光電変換セル毎の前記増幅用のトランジスタの入力側のバラツキに起因するノイズを残存信号として、読出し信号から
増幅用トランジスタの入力側を所定電位の初期状態に復帰させた
所定電位の初期状態に復帰させる
　【００１１】
　この光電変換セル内の光電変換素子としては、ＭＯＳ型、静電誘導型、ベース蓄積型等の各種光センサを用いることができ、特にベース蓄積型によるベースに蓄積された光電荷と残存信号とを増幅して読み出す方式を以下の実施形態の光電変換素子として説明する。
　【００１２】
　また、光電変換セルのリフレッシュとは、光電変換セルの光情報の消去を意味する。光センサの種類によって、読出しと同時に光情報が消去されるもの、読出しによっては、光情報が消去されず繰返し読出し可能なものがある。
　【００１３】
　【発明の実施の形態】
　まず、本実施形態で使用される光電変換素子について説明する。
　【００１４】
　図１１（Ａ）は、特開昭６０−１２７５９号公報〜特開昭６０−１２７６５号公報に記載されている光電変換セルの概略的断面図、図１１（Ｂ）は、その等価回路図である。
　【００１５】
　両図において、ｎ＋シリコン基板１上に光電変換セルが形成され配列されており、各光電変換セルはＳｉＯ２、Ｓｉ３Ｎ４、又はポリシリコン等より成る素子分離領域２によって隣接する元電変換セルから電気的に絶縁されている。
　【００１６】
　各光電変換セルは次のような構成を有する。
　【００１７】
　エピタキシャル技術等で形成される不純物濃度の低いｎ−領域３上にはｐタイプの不純物をドーピングすることでｐ領域４が形成され、ｐ領域４には不純物拡散技術又はイオン注入技術等によってｎ＋領域５が形成されている。ｐ領域４およびｎ＋領域５は、各々バイポーラトランジスタのベ一スおよびエミッタであり、トランジスタの増幅回路を構成する。
　【００１８】
　このように各領域が形成されたｎ−領域３上には酸化膜６が形成され、酸化膜６上に所定の面積を有するキャパシタ電極７が形成されている。キャパシタ電極７は酸化膜６を挟んでｐ領域４と対向し、キャパシタ電極７にパルス電圧を印加することで浮遊状態にされたｐ領域４の電位を制御する。
　【００１９】
　その他に、ｎ＋領域５に接続されたエミッタ電極８、基板１の裏面に不純物濃度の高いｎ＋領域１１、およびバイポーラトランジスタのコレクタに電位を与えるためのコレクタ電極１２がそれぞれ形成されている。
　【００２０】
　次に、基本的な動作を説明する。まず、バイポーラトランジスタのペ一スであるｐ領域４は負電位の初期状態にあるとする。このｐ領域４側から光１３が入射し、入射光によって発生した電子・正孔対のうちの正孔がｐ領域４に蓄積され、蓄積された正孔によってｐ領域４の電位が正方向に上昇する（蓄積動作）。
　【００２１】
　続いて、キャパシタ電極７に読出し用の正電圧パルスが印加され、蓄積動作時のベ一ス電位変化分に対応した読出し信号が浮遊状態にしたエミッタ電極８から出力される（読出し動作）。ただし、ベ一スであるｐ領域４の蓄積電荷量はほとんど減少しないために、読出し動作の繰出しが可能である。
　【００２２】
　また、ｐ領域４に蓄積された正孔を除去するには、エミッタ電極８を接地し、キャパシタ電極７に正電圧のリフレッシュパルスを印加する。このパルスを印加することでｐ領域４はｎ＋領域５に対して順方向にバイアスされ、蓄積された正孔が除去される。そして、リフレッシュパルスが立下がった時点でｐ領域４は負電位の初期状態に復帰する（リフレッシュ動作）。以後、同様に蓄積、読出し、リフレッシュという各動作が繰り返される。
　【００２３】
　しかしながら、リフレッシュ動作によってｐ領域４の電位を初期状態に復帰させるには、十分長いパルス幅のリフレッシュパルスを必要とする。このために高速動作を達成するには、リフレッシュパルス幅を短かくすることが必要である。しかし、リフレッシュパルス幅を短かくすると、完全なリフレッシュ動作が行われないために、残像に暗信号や駆動ノイズ等の不要成分も加わってくる。
　【００２４】
　図１２は、上記光電変換セルに印加するリフレッシュパルス幅ｔとリフレッシュ後の光電変換セル出力との関係を示すグラフである。
　【００２５】
　同グラフにおいて、ｔ＝０の時の出力は蓄積動作後の読出し信号であり、入射光の照度に対応したレベルの読出し信号が示されている。
　【００２６】
　このような光電変換セルの出力レベルはリフレッシュ動作によって低下するが、その低下の様子も、またリフレッシュ後の残存信号のレベルも入射光の照度によって異なっている。
　【００２７】
　すなわち、同一リフレッシュ動作を行った場合に、残存信号レベルが一定値とはならず、高照度側ほど残存信号レベルが高くなっている。すなわち、残像があることを示している。
　【００２８】
　また、高照度の場合では、残存信号レベルは低照度の場合より高いが、初期の読出し信号に比べて大幅に低下しており、実質的には読出し信号に含まれる不要成分の割合が低いことを示している。それに対して低照度の場合は、残存信号レベルは低くなっているが、初期の読出し信号レベルに比べると低下の幅は小さいために、読出し信号に含まれる不要成分の割合が高くなっている。
　【００２９】
　このような特性を有する上記光電変換セルであっても、次に詳述するように、初期の読出し信号からリフレッシュ後の残存信号を差し引くことによって、上記特有の残像成分だけではなく、前述した暗信号や駆動ノイズ等の不要成分をも同時に除去することができる。以下、本発明の実施形態を説明する。
　【００３０】
　図１は、本発明による光電変換装置の一実施形態の基本構成を説明するための回路図である。
　【００３１】
　図１において、光電変換セルＳのエミッタ電極８は垂直ラインＶＬに接続され、トランジスタＱｒを介して接地される。また垂直ラインＶＬはトランジスタＱｔ１およびＱｔ２を介して蓄積用コンデンサＣｔ１およびＣｔ２にそれぞれ接続され、コンデンサＣｔ１およびＣｔ２はトランジスタＱｓ１およびＱｓ２を介して出力ライン２１および２２に各々接続される。出力ライン２１および２２は、差動アンプ２３の入力端子に接続されている。
　【００３２】
　また、トランジスタＱｓ１およびＱｓ２のゲート電極には走査回路からパルスφが印加され、トランジスタＱｔ１およびＱｔ２のゲート電極にはパルスφｔ１およびφｔ２が各々印加される。さらに、トランジスタＱｒのゲート電極にはパルスφｖｃが印加され、光電変換セルＳのキャパシタ電極７には読出し又はリフレッシュパルスφｒｃが印加される。
　【００３３】
　次に、動作を説明する。
　【００３４】
　図２は、図１に示す回路の動作を説明するためのタイミングチャートである。
　【００３５】
　まず、パルスφｔ１、φｔ２およびφｖｃによってトランジスタＱｔ１、Ｑｔ２およびＱｒをＯＮ状態にして、コンデンサＣｔ１およびＣｔ２をクリアする（期間Ｔ１）。
　【００３６】
　続いて、トランジスタＱｔ１をＯＮにしたままで、パルスφｒｃをキャパシタ電極７に印加することで、光電変換セルＳの読出し信号がコンデンサＣｔ１に蓄積される（期間Ｔ２）。
　【００３７】
　続いて、パルスφｒｃを印加したままで、トランジスタＱｔ１をＯＦＦにした後、パルスφｖｃによってトランジスタＱｒをＯＮにする。このパルスφｖｃのパルス幅によって光電変換セルＳのリフレッシュ動作が行われる（期間Ｔ３）。
　【００３８】
　リフレッシュ動作が終了すると、パルスφｒｃを印加したままで、パルスφｔ２によりトランジスタＱｔ２をＯＮとする。これによって、光電変換セルＳの残存信号がコンデンサＣｔ２に蓄積される（期間Ｔ４）。
　【００３９】
　こうしてコンデンサＣｔ１およびＣｔ２に読出し信号および残存信号が蓄積されると、パルスφによってトランジスタＱｓ１およびＱｓ２をＯＮにし、読出し信号および残存信号を出力ライン２１および２２を通して差動アンプ２３に入力する。そして、差動アンブ２３からは、読出し信号と残存信号との差に比例した信号Ｓｏｕｔが出力される（期間Ｔ５）。
　【００４０】
　すでに述べたように、信号Ｓｏｕｔは暗信号や駆動ノイズ等の不要成分および残像成分が除去された信号であり、入射光の照度に正確に対応したものとなっている。特に、低照度側での不要成分除去が効果的であり、Ｓ／Ｎ向上に寄与している。
　【００４１】
　図３は、本実施形態の回路図である。
　【００４２】
　本実施形態は、図１に示す回路がｎ個配列された構成となっている。
　【００４３】
　同図において、光電変換セルＳ１〜Ｓｎのエミッタ電極８は垂直ラインＶＬ１〜ＶＬｎに各々接続され、各垂直ラインには図１と同様の回路が接続されている。各垂直ラインのトランジスタＱｒのゲート電極は共通に接続され、パルスφｖｃが印加される。また、各トランジスタＱｔ１のゲート電極および各トランジスタＱｔ２のゲート電極も共通に接続され、それぞれパルスφｔ１およびφｔ２が印加される。
　【００４４】
　各光電変換セルに対応するトランジスタＱｓ１およびＱｓ２のゲート電極は共に走査回路２４の並列出力端子に接続され、それぞれパルスφ１〜φｎが印加される。また各トランジスタＱｓ１は出力ライン２１に、各トランジスタＱｓ２は出力ライン２２に各々接続され、両出力ラインは各々トランジスタＱｒｈを介して接地されている。トランジスタＱｒｈのゲート電極には共にリセットパルスφｒｈが印加される。
　【００４５】
　このような構成を有する本実施形態の動作を図４を参照して簡単に説明する。
　【００４６】
　図４は、本実施形態の動作を説明するためのタイミングチャートである。
　【００４７】
　すでに説明したように、期間Ｔ１において各光電変換セルに対応するコンデンサＣｔ１およびＣｔ２をクリアし、期間Ｔ２において各コンデンサＣｔ１に各光電変換セルの読出し信号を蓄積する。続いて、期間Ｔ３において各光電変換セルをリフレッシュし、期間Ｔ４においてリフレッシュ後の各光電変換セルの残存信号を各コンデンサＣｔ２に蓄積する。
　【００４８】
　こうして各光電変換セルの読出し信号および残存信号を蓄積した後、走査回路２４からパルスφ１がトランジスタＱｓ１およびＱｓ２のゲート電極に印加され、コンデンサＣｔ１およびＣｔ２に蓄積された光電変換セルＳ１の読出し信号および残存信号が出力ライン２１および２２に各々現われ、差動アンブ２３で差分処理されて出力される。出力ライン２１に現われた読出し信号には不要成分が含まれているが、差動アンプ２３によって不要成分が除去され、出力信号Ｓｏｕｔを得る。
　【００４９】
　光電変換セルＳ１の信号が出力されると、パルスφｒｈによってトランジスタＱｒｈがＯＮとなり、出力ライン２１および２２に残留している電荷が除去される。
　【００５０】
　以下同様にして、パルスφ２〜φｎにより、光電変換セルＳ２〜Ｓｎの読出し信号および残存信号が各々コンデンサＣｔ１およびＣｔ２から出力ライン２１および２２に取り出され、差動アンプ２３を通して信号Ｓｏｕｔとして順次出力される。
　【００５１】
　図５は、本実施形態を用いた撮像装置の概略的ブロック図である。
　【００５２】
　同図において、ライン状又はエリア状の撮像素子５０１が図３に示す本実施形態に相当する。撮像素子５０１の出力信号ＳｏｕｔはＡＧ等の信号処理を行う信号処理回路５０２を通してＮＴＳＣ信号等の標準テレビジョン信号として出力される。
　【００５３】
　また、撮像素子５０１を駆動するための上記各種パルスはドライバ５０３から供給され、ドライバ５０３は制御部５０４からの制御信号に従ってパルスを出力する。また、制御部５０４は露出制御手段５０５を制御して撮像素子５０１に入射する光量を定める。
　【００５４】
　上述したように、本実施形態である撮像素子５０１は、読出し信号から残存信号を差し引くことによって入射光の照度に正確に対応した出力信号Ｓｏｕｔを得ることができるために、信号処理回路５０２によって適切なゲインが設定されるとともに、ノイズ成分がすでに除去されていることで信号処理も簡単となる。
　【００５５】
　なお、上記実施形態では図３に示す方式の光センサの場合を説明したが、本発明は光センサの特定の方式に限定されるものではない。
　【００５６】
　また、本発明は複数水平ライン信号処理方式のカラー撮像装置にも応用することができる。
　【００５７】
　図６は、本発明の他の実施形態の回路図、図７は、本実施形態における読出し回路Ｒｉの具体的回路図である。なお、本実施形態では２水平ライン信号処理方式の場合を説明するが、３水平ライン以上の信号処理方式であっても本質的には同じである。
　【００５８】
　図６において、光センサＳはｍ×ｎ個エリア状に配列され、センサ表面にはモザイク状のＲＧＢ色フィルタが配置されている。
　【００５９】
　光センサの出力は、列ごとに垂直ラインＶＬ１〜ＶＬｎを通して読出し回路Ｒ１〜Ｒｎへ入力する。
　【００６０】
　図７に示すように、任意の読出し回路Ｒｉ（ｉ＝１，２，…，ｎ）において、垂直ラインＶＬｉはトランジスタＱｔ１〜Ｑｔ４を介して蓄積用コンデンサＣｔ１〜Ｃｔ４に接続され、コンデンサＣｔ１〜Ｃｔ４はトランジスタＱｓ１〜Ｑｓ４を介して出力ライン６０１〜６０４に各々接続されている。本実施形態では２水平ライン信号処理方式であるために、読出し信号を蓄積するコンデンサと残存信号を蓄積するコンデンサとが各々２個ずつ設けられている。
　【００６１】
　トランジスタＱｔ１〜Ｑｔ４の各ゲート電極は、読出し回路Ｒ１〜Ｒｎを通して各々共通に接続され、各ゲート電極にはパルスφｔ１〜φｔ４が印加される。
　【００６２】
　また、読出し回路ＲｉのトランジスタＱｓ１〜Ｑｓ４のゲート電極には、水平走査回路２４からパルスφｉが印加され、トランジスタＱｓ１〜Ｑｓ４は同時にＯＮ／ＯＦＦ動作を行う。
　【００６３】
　出力ライン６０１および６０２と出力ライン６０３および６０４は、各々差動アンプ６０５と差動アンプ６０６の入力端子に接続され、各差動アンプから信号ＯＵＴ１とＯＵＴ２が各々出力される。
　【００６４】
　また、垂直走査回路６０７およびインタレース回路６０８によってフィールドが選択されるとともに、そのフィールドにおける２水平ラインが順次選択され、選択された２水平ラインに光センサを駆動するためのパルスがインタレース回路６０８に入力するパルスＶｒ１およびＶｒ２のタイミングで順次印加される。
　【００６５】
　次に、本実施形態の動作を図８を参照しながら説明する。
　【００６６】
　図８は、本実施形態の動作を説明するためのタイミングチャートである。
　【００６７】
　本実施形態では、２水平ラインにおける各光センサの読出し信号および残存信号を水平ブランキング（ＨＢＬＫ）期間に各読出し回路Ｒ１〜Ｒｎの蓄積コンデンサに転送する。２水平ラインのうち第１水平ラインについての転送は期間ＴａにパルスＶｒ１のタイミングで、第２水平ラインについての転送は期間ＴｂにパルスＶｒ２のタイミングで各々行われる。
　【００６８】
　転送動作は図３に示す実施形態の場合とほぼ同様であるが、ＨＢＬＫ期間内に転送を行うために、１水平ライン方式の場合に比べて転送時間が短かくなる。そこで、残存信号を蓄積するコンデンサのクリアと残存信号の蓄積とをほぼ同一の期間Ｔ３’およびＴ３”で行っている。また、信号転送時に発生するスミアは転送時間に比例するために、Ｔ２（Ｔ２’）、Ｔ３（Ｔ３”）を短かくすることでスミアを抑制することもできる。
　【００６９】
　まず、期間Ｔａにおける期間Ｔ１でコンデンサＣｔ１およびＣｔ２がクリアされた後、期間Ｔ２でパルスＶｒ１によってパルスφｒｃ１が第１水平ラインに印加され、第１水平ラインの各光センサの読出し信号が読出し回路Ｒ１〜Ｒｎの各コンデンサＣｔ１に蓄積される。続いて、期間Ｔ３’において、第１水平ラインの光センサがリフレッシュされ、リフレッシュ終了後の残存信号がコンデンサＣｔ２に蓄積される。
　【００７０】
　続いて期間Ｔｂにおいて、第２水平ラインについての転送がパルスＶｒ２によるパルスφｒｃ２の出力によって第１水平ラインと同様に行われ、第２水平ラインの各光センサの読出し信号および残存信号が各々コンデンサＣｔ３およびＣｔ４に蓄積される。
　【００７１】
　こうして第１および第２水平ラインの読出し信号および残存信号が読出し回路Ｒ１〜Ｒｎの各コンデンサＣｔ１〜Ｃｔ４に蓄積されると、水平走査回路２４からパルスφ１〜φｎが読出し回路Ｒ１〜Ｒｎに順次出力され、差動アンブ６０５からＲ，Ｇの点、順次信号ＯＵＴ１が、差動アンプ６０６からＧ，Ｂの点順次信号ＯＵＴ２がそれぞれ不要成分が除去されて出力される。ただし、次のフィールドではＯＵＴ１がＧ，Ｂの点順次信号、ＯＵＴ２がＲ，Ｇの点順次信号となる。
　【００７２】
　図９は、本実施形態を用いた撮像装置の概略的ブロック図である。
　【００７３】
　同図において、撮像素子９０１は図６及び図７に示す光電変換装置である。撮像素子９０１の出力信号ＯＵＴ１およびＯＵＴ２は、サンプルホールド回路９０２を経て信号処理回路９０３によってＮＴＳＣ信号が形成され出力される。
　【００７４】
　撮像素子９０１を駆動する各パルスはドライバ９０４から供給され、ドライバ９０４は制御部９０５によって制御されている。また、制御部９０５は露出制御手段９０６を制御して撮像素子９０１に入射する光量を定める。
　【００７５】
　【発明の効果】
　以上詳細に説明したように、本発明による光電変換装置は、光電変換セルの読出し信号から
増幅用トランジスタの入力側を所定電位の初期状態に復帰させた
　【００７６】
　また、
増幅用トランジスタの入力側を所定電位の初期状態に復帰させる
【図面の簡単な説明】
　【図１】
　本発明による光電変換装置の一実施形態の基本構成を説明するための回路図。
　【図２】
　図１に示す回路の動作を説明するためのタイミングチャート。
　【図３】
　本実施形態の回路図。
　【図４】
　本実施形態の動作を説明するためのタイミングチャート。
　【図５】
　本実施形態を用いた撮像装置の概略的ブロック図。
　【図６】
　本発明の他の実施形態の回路図。
　【図７】
　本実施形態における読出し回路Ｒｉの具体的回路図。
　【図８】
　本実施形態の動作を説明するためのタイミングチャート。
　【図９】
　本実施形態を用いた撮像装置の概略的ブロック図。
　【図１０】
　従来の光電変換装置の一例を示す概略的構成図。
　【図１１】
　（Ａ）は、特開明６０−１２７５９号公報〜特開明６０−１２７６５号公報に記載されている光電変換セルの概略的断面図、（Ｂ）は、その等価回路図。
　【図１２】
　上記光電変換セルに印加するリフレッシュパルス幅ｔとリフレッシュ後の光電変換セル出力との関係を示すグラフである。
　【符号の説明】
　１　基板
　３　ｎ−エピタキシャル層
　４　ｐベ一ス領域
　５　ｎ＋エミッタ領域
　７　キャパシタ電極
　８　エミッタ電極
　１２　コレクタ電極
　２１，２２　出力ライン
　２３　差動アンプ
　Ｓ１〜Ｓｎ　光電変換セル
　Ｃｔ１，Ｃｔ２　蓄積用コンデンサ